(57)【特許請求の範囲】
【請求項１】
水平軸線に沿って配置された回動軸まわりに揺動可能とされ、空調用室内ユニットの筐体内に配置された送風機を駆動するモータが、取付部材を介して下面に取り付けられた揺動板を備え、この揺動板を板厚方向に貫通する２本のテンションボルトに螺合されたナットを対応するテンションボルトに対して進退させることにより、前記送風機の回転軸に取り付けられたプーリと、前記モータの回転軸に取り付けられたプーリとの間に巻回されたベルトのテンションを調整するモータブラケットであって、
前記ナットと前記揺動板との間に、前記テンションボルトが板厚方向に貫通する２つの丸穴を有し、かつ、幅が、前記揺動板の両側部から上方に向かって延びる側壁の内面間の距離と略同じになるように形成された共通ブラケットが設けられていることを特徴とするモータブラケット。
【請求項２】
前記揺動板の上面に、前記揺動板の長手方向軸線と直交する軸線に平行な複数本の罫書線が付けられていることを特徴とする請求項１に記載のモータブラケット。
【請求項３】
前記共通ブラケットの両側端部に、前記揺動板の側壁の内面に沿って立ち上がる側壁が設けられており、これら側壁の外面間の距離が、前記揺動板の両側部から上方に向かって延びる側壁の内面間の距離と略同じになるように形成されていることを特徴とする請求項１または２に記載のモータブラケット。
【請求項４】
請求項１から３のいずれか一項に記載のモータブラケットを備えてなることを特徴とする空調用室内ユニット。
【発明の詳細な説明】
【技術分野】
【０００１】
本発明は、モータブラケットに関し、特に、空調用室内ユニット（いわゆる「床置型室内機」）の筐体内に配置された送風機を駆動するモータの取り付けられたモータブラケットに関するものである。
【背景技術】
【０００２】
空調用室内ユニットの筐体内に配置された送風機を駆動するモータの取り付けられたモータブラケットとしては、例えば、特許文献１に開示されたものが知られている。
【特許文献１】特開２００６−２２０３２１号公報
【発明の開示】
【発明が解決しようとする課題】
【０００３】
ところで、空調用室内ユニットの筐体内に配置されるモータブラケットには、送風機の回転軸に取り付けられたプーリと、モータの回転軸に取り付けられたプーリとの間に巻回された（掛け回された）ベルトのテンション（張力）を、２本のテンションボルトにそれぞれ螺合されたナットをテンションボルトに対して移動させることにより調整するようにしたものがある。
しかしながら、２本のテンションボルトが互いに捻れないように（すなわち、２本のテンションボルトが平行状態を保ったまま）これらのナットを対応するテンションボルトに対して移動させていくことは難しく、２本のテンションボルトの間に捻れが生じて、モータブラケットに取り付けられたモータの芯がずれ、プーリのアライメントがとり難くなってしまうといった問題点があった。
また、モータブラケットの板厚が薄い場合には、モータブラケット自体が変形し、モータの芯ずれが増加し、プーリのアライメントがとれなくなってしまうといった問題点もあった。
【０００４】
本発明は、上記の事情に鑑みてなされたもので、ベルトのテンション調整時におけるモータの芯ずれを防止することができるとともに、自身の変形を防止することができるモータブラケットを提供することを目的とする。
【課題を解決するための手段】
【０００５】
本発明は、上記課題を解決するため、以下の手段を採用した。
本発明に係るモータブラケットは、水平軸線に沿って配置された回動軸まわりに揺動可能とされ、空調用室内ユニットの筐体内に配置された送風機を駆動するモータが、取付部材を介して下面に取り付けられた揺動板を備え、この揺動板を板厚方向に貫通する２本のテンションボルトに螺合されたナットを対応するテンションボルトに対して進退させることにより、前記送風機の回転軸に取り付けられたプーリと、前記モータの回転軸に取り付けられたプーリとの間に巻回されたベルトのテンションを調整するモータブラケットであって、前記ナットと前記揺動板との間に、前記テンションボルトが板厚方向に貫通する２つの丸穴を有し、かつ、幅が、前記揺動板の両側部から上方に向かって延びる側壁の内面間の距離と略同じになるように形成された共通ブラケットが設けられている。
【０００６】
本発明に係るモータブラケットによれば、各テンションボルトにそれぞれ螺合されたナットをテンションボルトに対して進退（移動）させて、ベルトのテンションを調整する際、共通ブラケットの両側面が揺動板の両側壁内面に案内（ガイド）されるように（すなわち、一のテンションボルトが他のテンションボルトに対して捻れようとすると、共通ブラケットの両側面が揺動板の両側壁内面に当たり、その捻れが拘束（制限）されるように）なっている。
これにより、２本のテンションボルトが互い捻れてしまうことを防止することができ（すなわち、２本のテンションボルトを平行に保つことができ）、ベルトのテンション調整時におけるモータの芯ずれを防止することができるとともに、揺動板の変形を防止することができる。
また、ナットの締め付け力（すなわち、ナットの下面（共通ブラケットの上面と接する面）に加わる面圧）が、共通ブラケットの下面を介して揺動板の他端部上面に伝達されることとなるので、揺動板の他端部上面に伝達される面圧を低減させることができるとともに、揺動板の変形を防止することができる。
【０００７】
上記モータブラケットにおいて、前記揺動板の上面に、前記揺動板の長手方向軸線と直交する軸線に平行な複数本の罫書線が付けられているとさらに好適である。
【０００８】
このようなモータブラケットによれば、ベルトのテンションを調整する際、揺動板の長手方向と直交する方向に沿って延びる共通ブラケットの一端面を、揺動板の他端部上面に付けられた罫書線に合わせた（または沿わせた）状態でナットを締め付けていくことができるので、２本のテンションボルトの捻れを視覚的に把握することができ、これらテンションボルトが互い捻れてしまうことをより確実に防止することができて、ベルトのテンション調整時におけるモータの芯ずれをより確実に防止することができるとともに、揺動板の変形をより確実に防止することができる。
【０００９】
上記モータブラケットにおいて、前記共通ブラケットの両側端部に、前記揺動板の側壁内面に沿って立ち上がる側壁が設けられており、これら側壁外面間の距離が、前記揺動板の両側部から上方に向かって延びる側壁内面間の距離と略同じになるように形成されているとさらに好適である。
【００１０】
このようなモータブラケットによれば、各テンションボルトにそれぞれ螺合されたナットをテンションボルトに対して進退（移動）させて、ベルトのテンションを調整する際、共通ブラケットの両側壁外面と揺動板の両側壁内面とが接した状態に保たれ、一のテンションボルトが他のテンションボルトに対して捻れようとしても、その捻れが確実に拘束（制限）されるように）なっている。
これにより、２本のテンションボルトが互い捻れてしまうことを確実に防止することができ（すなわち、２本のテンションボルトを平行に保つことができ）、ベルトのテンション調整時におけるモータの芯ずれを確実に防止することができるとともに、揺動板の変形を確実に防止することができる。
【００１１】
本発明に係る空調用室内ユニットは、ベルトのテンション調整時におけるモータの芯ずれを防止することができるとともに、自身の変形を防止することができるモータブラケットを備えているので、ベルトのテンション調整時におけるプーリのアライメントを容易にとることができて、ベルトのテンション調整作業を容易、かつ、迅速に行うことができる。
【発明の効果】
【００１２】
本発明によれば、ベルトのテンション調整時におけるモータの芯ずれを防止することができるとともに、自身の変形を防止することができるという効果を奏する。
【発明を実施するための最良の形態】
【００１３】
以下、本発明に係るモータブラケットの第１実施形態について、図１から図４を参照しながら説明する。
図１は本発明に係るモータブラケットを具備した空調用室内ユニットの斜視図、図２は図１の要部側面図、図３は図２のＡ−Ａ矢視平面図、図４は図３に示す共通ブラケットの全体斜視図である。
【００１４】
図１に示すように、空気調和装置１は、空調用室内ユニット２と、空調用室外ユニット（図示せず）とを主たる要素として構成されたものである。
【００１５】
空調用室外ユニットは、冷媒を圧縮するための圧縮機、冷媒と室外の空気との熱交換を行わせるための室外熱交換器、および室外熱交換器における冷媒と室外の空気との熱交換を促進させる室外ファンを有するものである。
また、この空調用室外ユニットと空調用室内ユニット２とは冷媒配管（図示せず）によって連結されており、この冷媒配管中を冷媒が循環するようになっている。
【００１６】
空調用室内ユニット２は、室内の空気を取り入れるための空気取入口（図示せず）と、室内に向かって処理された空気を吹き出す空気吹出口（図示せず）と、空気取入口から空気を取り入れるとともに、この空気を空気吹出口から吹き出させる送風機３と、送風機３を駆動するモータ４が取り付けられたモータブラケット５と、送風機３により当該ユニット２内を移動させられる空気を冷却または加熱する室内熱交換器６とを主たる要素として構成された、いわゆる「床置形室内機」と呼ばれるものである。
【００１７】
室内熱交換器６は、前述した冷媒配管を介して圧縮機、室外熱交換器、および膨張弁等と接続されており、これら構成要素により冷凍サイクルおよびホットサイクルが形成されている。
なお、送風機３、室内熱交換器６、圧縮機、室外熱交換器および膨張弁については従来周知のものであるので、ここではその説明は省略する。
【００１８】
図１または図２に示すように、モータブラケット５は、空調用室内ユニット２の筐体を構成する天井板の内面２ａに、溶接接合または締結部材（例えば、ボルト）を介して取り付けられた、断面視コ字形状を呈するベース板１０と、このベース板１０の一端部に、その一端部が回動軸１１を介して回動自在に取り付けられた、断面視コ字形状を呈する揺動板１２とを備えている。
ベース板１０の他端部には、その一端部がナット１３を介して回動自在に取り付けられた、平面視Ｌ字形状を呈する２本のテンションボルト１４が取り付けられている。
【００１９】
一方、図３に示すように、揺動板１２の他端部には、板厚方向に貫通するとともに、長手方向軸線に平行な２本の長穴１５が形成されており、各長穴１５内には、対応するテンションボルト１４の他端部が通されている。
また、図４に示すように、揺動板１２の他端部上面には、板厚方向に貫通する２つの丸穴１６を有するとともに、側面視Ｌ字形状を呈する共通ブラケット（スライド部材）１７が配置されており、各丸穴１６内には、対応するテンションボルト１４の他端部が通されている。共通ブラケット１７は、その幅（長手方向の長さ）が、揺動板１２の一側に位置する一側壁の内面１２ａと、揺動板１２の他側に位置する他側壁の内面１２ｂとの間の距離（長さ）Ｌと同じか、または距離Ｌよりも数ｍｍ程度短くなるように形成された板状の部材である。
さらに、揺動板１２の他端部上面には、長手方向軸線と直交する軸線に平行な複数本（本実施形態では２本）の罫書線１８が付けられている。
そして、揺動板１２および共通ブラケット１７は、各テンションボルト１４の他端部に螺合された２つのナット（共通ブラケット１７の上面側に配置されたナット１９、および揺動板１２の下面側に配置されたナット２０（図１および図２参照））に挟み込まれるようにして、テンションボルト１４の他端部に取り付けられている。
【００２０】
図２に示すように、揺動板１２の中央部下面には、取付部材２１またはモータ付属の部材を介してモータ４が取り付けられており、モータ４の回転軸（図示せず）に取り付けられたプーリ（図示せず）と、送風機３の回転軸（図示せず）に取り付けられたプーリ２２との間には、ベルト２３が巻回されている（掛け回されている）。そして、モータ４が駆動してモータ４の回転軸が回転すると、送風機３の回転軸が回転して、空気取入口から取り入れられた空気が空気吹出口から吹き出される。
【００２１】
本実施形態に係るモータブラケット５によれば、各テンションボルト１４にそれぞれ螺合されたナット１９（およびナット２０）をテンションボルト１４に対して移動させて、ベルト２３のテンションを調整する際、共通ブラケット１７の両側面１７ａが揺動板１２の両側壁の内面１２ａ，１２ｂに案内（ガイド）されるように（すなわち、一のテンションボルト１４が他のテンションボルト１４に対して捻れようとすると、共通ブラケット１７の両側面１７ａが揺動板１２の両側壁の内面１２ａ，１２ｂに当たり、その捻れが拘束（制限）されるように）なっている。
これにより、２本のテンションボルト１４が互い捻れてしまうことを防止することができ（すなわち、２本のテンションボルト１４を平行に保つことができ）、ベルト２３のテンション調整時におけるモータ４の芯ずれを防止することができるとともに、揺動板１２の変形を防止することができる。
【００２２】
また、本実施形態に係るモータブラケット５によれば、ナット１９の締め付け力（すなわち、ナット１９の下面（共通ブラケット１７の上面と接する面）に加わる面圧）が、共通ブラケット１７の下面を介して揺動板１２の他端部上面に伝達されることとなるので、揺動板１２の他端部上面に伝達される面圧を低減させることができるとともに、揺動板１２の変形を防止することができる。
さらに、共通ブラケット１７を取り付けてテンションボルト１４とナット１９およびナット２０で締め付けた場合、共通ブラケット１７が揺動板１２の補強材にもなり、変形を防止することができる。
【００２３】
さらにまた、本実施形態に係るモータブラケット５によれば、ベルト２３のテンションを調整する際、揺動板１２の長手方向と直交する方向に沿って延びる共通ブラケット１７の一端面（本実施形態では回動軸１１に近い側の面）１７ｂを、揺動板１２の他端部上面に付けられた罫書線１８に合わせた（または沿わせた）状態でナット１９を締め付けていくことができるので、２本のテンションボルト１４の捻れを視覚的に把握することができ、これらテンションボルト１４が互い捻れてしまうことをより確実に防止することができて、ベルト２３のテンション調整時におけるモータ４の芯ずれをより確実に防止することができるとともに、揺動板１２の変形をより確実に防止することができる。
さらにまた、組み立て時に位置決めとして使うことで、記号１４を直角にして組み立てる（最適な状態）ことが罫書線１８を目安にすることで可能になる。
【００２４】
本発明に係るモータブラケットの第２実施形態について、図５を参照しながら説明する。図５は本発明の第２実施形態に係るモータブラケットの要部斜視断面図である。
本実施形態に係るモータブラケット２５は、共通ブラケット１７の代わりに共通ブラケット２７を備えているという点で上述した第１実施形態のものと異なる。その他の構成要素については上述した第１実施形態のものと同じであるので、ここではそれら構成要素についての説明は省略する。
【００２５】
図５に示すように、共通ブラケット２７は、板厚方向に貫通する２つの丸穴１６（図４参照）を有するとともに、両側端部から揺動板１２の両側壁の内面１２ａ，１２ｂに沿って立ち上がる（立設された）側壁２７ａ，２７ｂを備えた正面視Ｃ字形状を呈する板状の部材である。この共通ブラケット２７は、その幅（側壁２７ａの外面２７ｃと、側壁２７ｂの外面２７ｄとの間の長さ）が、揺動板１２の一側に位置する一側壁の内面１２ａと、揺動板１２の他側に位置する他側壁の内面１２ｂとの間の距離（長さ）Ｌと同じか、または距離Ｌよりも０．数ｍｍ程度短くなるように形成されている。
【００２６】
本実施形態に係るモータブラケット２５によれば、各テンションボルト１４にそれぞれ螺合されたナット１９（およびナット２０）をテンションボルト１４に対して移動させて、ベルト２３のテンションを調整する際、両側壁２７ａ，２７ｂの外面２７ｃ，２７ｄと揺動板１２の両側壁の内面１２ａ，１２ｂとが接した状態に保たれ、テンションボルト１４が他のテンションボルト１４に対して捻れようとしても、その捻れが確実に拘束（制限）されるように）なっている。
これにより、２本のテンションボルト１４が互い捻れてしまうことを確実に防止することができ（すなわち、２本のテンションボルト１４を平行に保つことができ）、ベルト２３のテンション調整時におけるモータ４の芯ずれを確実に防止することができるとともに、揺動板１２の変形を確実に防止することができる。
【００２７】
なお、本発明は上述した実施形態に限定されるものではなく、本発明の技術的思想を逸脱しない範囲で、適宜必要に応じて変形実施、変更実施することができる。
【図面の簡単な説明】
【００２８】
【図１】本発明の第１実施形態に係るモータブラケットを具備した空調用室内ユニットの斜視図である。
【図２】図１の要部側面図である。
【図３】図２のＡ−Ａ矢視平面図である。
【図４】図３に示す共通ブラケットの全体斜視図である。
【図５】本発明の第２実施形態に係るモータブラケットの要部斜視断面図である。
【符号の説明】
【００２９】
１    空調用室内ユニット
３    送風機
４    モータ
５    モータブラケット
１１    回動軸
１２    揺動板
１２ａ  内面
１２ｂ  内面
１４    テンションボルト
１６    丸穴
１７    共通ブラケット
１８    罫書線
１９    ナット
２１    取付部材
２２    プーリ
２３    ベルト
２５    モータブラケット
２７    共通ブラケット
２７ｃ  外面
２７ｄ  外面
【図１】
0005180618.tif 000002
【図２】
0005180618.tif 000003
【図３】
0005180618.tif 000004
【図４】
0005180618.tif 000005
【図５】
0005180618.tif 000006